(57)【要約】【課題】  本発明は、主要被写体に適応した柔軟な区分で、予備発光を高Ｓ／Ｎに分割受光する技術を提供する。【解決手段】  本発明は、予備発光および本発光を実行する閃光部を制御する閃光制御装置であって、次の構成を備える。まず、受光部は、被写界から戻る予備発光を分割受光する受光素子アレイを備え、これら受光素子ごとの光検出結果を得る。パターン選択部は、受光素子ごとに得られた光検出結果を比較することにより、光検出結果が予め定められた範囲内に収まり、かつ隣接する受光素子の群からなる不定形領域をパターン選択する。本発光演算部は、不定形領域における光検出結果の加重加算値に基づいて、本発光の目標発光量を決定する。本発光制御部は、本発光演算部により決定された目標発光量に従って、閃光部の本発光を制御する。【選択図】      図３
2006018030.tif 000002
【特許請求の範囲】
【請求項１】
予備発光および本発光を実行する閃光部を制御する閃光制御装置であって、
被写界から戻る前記予備発光を分割受光する受光素子アレイを備え、受光素子ごとの光検出結果を出力する受光部と、
前記光検出結果を比較することにより、前記光検出結果が予め定められた範囲内に収まり、かつ隣接する受光素子の群からなる不定形領域をパターン選択するパターン選択部と、
前記不定形領域について前記光検出結果の加重加算値を求め、前記加重加算値に基づいて前記本発光の目標発光量を決定する本発光演算部と、
前記本発光演算部により決定された前記目標発光量に従って、前記閃光部の本発光を制御する本発光制御部と
を備えたことを特徴とする閃光制御装置。
【請求項２】
請求項１に記載の閃光制御装置において、
前記パターン選択部は、前記受光素子ごとの輝度値を比較することにより、前記輝度値が予め定められた範囲内に収まり、かつ隣接する受光素子の群からなる不定形領域をパターン選択する
ことを特徴とする閃光制御装置。
【請求項３】
請求項１に記載の閃光制御装置において、
前記受光部は、被写界から戻る前記予備発光を複数波長域に分けて受光し、前記複数波長域ごとの受光量を検出し、
前記パターン選択部は、前記複数波長域の受光量を比較することにより、分光反射率特性が予め定められた範囲内に収まり、かつ隣接する受光素子の群からなる不定形領域をパターン選択する
ことを特徴とする閃光制御装置。
【請求項４】
請求項１に記載の閃光制御装置において、
前記受光部は、被写界から戻る前記予備発光を複数波長域に分けて受光し、前記複数波長域の受光量を出力し、
前記パターン選択部は、前記複数波長域の受光量を比較することにより、色相が予め定められた範囲内に収まり、かつ隣接する受光素子の群からなる不定形領域をパターン選択する
ことを特徴とする閃光制御装置。
【請求項５】
請求項１ないし請求項４のいずれか１項に記載の閃光制御装置において、
前記受光素子アレイ上の位置を指定する位置指定手段を備え、
前記パターン選択部は、前記位置指定手段に指定された位置を含み、前記光検出結果が予め定められた範囲内に収まり、かつ隣接する受光素子の群からなる不定形領域をパターン選択する
ことを特徴とする閃光制御装置。
【請求項６】
請求項５に記載の閃光制御装置において、
前記位置指定手段は、前記受光素子アレイ上の複数位置を選択指定し、
前記パターン選択部は、前記位置指定手段に指定された複数位置を含む不定形領域をそれぞれ選択し、複数の前記不定形領域について論理和領域を求め、
前記本発光演算部は、前記論理和領域について前記光検出結果の加重加算値を求め、前記加重加算値に基づいて前記目標発光量を決定する、
ことを特徴とする閃光制御装置。
【請求項７】
請求項１ないし請求項６のいずれか１項に記載の閃光制御装置と、
前記本発光に照明された被写体を撮像する撮像部と
を備えたことを特徴とするカメラ。
【発明の詳細な説明】
【技術分野】
【０００１】
本発明は、電子閃光装置を制御する閃光制御装置に関する。
本発明は、この閃光制御装置を搭載したカメラに関する。
【背景技術】
【０００２】
近年、特許文献１に開示される『予備発光を利用した電子閃光装置の調光制御』が知られている。以下、この調光制御について説明する。
まず、電子閃光装置は、本発光に先立って、微小発光量の予備発光を実施する。カメラは、この予備発光による被写界からの反射光を測定し、その測定結果に基づいて本発光の目標発光量を決定する。
カメラは、算出した目標発光量を電子閃光装置に情報伝達する。電子閃光装置は、カメラからの発光開始信号に従って本発光を開始し、この目標発光量に達した時点で本発光を停止する。
このように予備発光を利用することで、被写体の反射率や距離など予め考慮することが可能となり、より高度な調光制御が実現する。
【０００３】
【特許文献１】特開平１１−１８３９７号公報
【発明の開示】
【発明が解決しようとする課題】
【０００４】
ところで、本願発明者は、予備発光の受光面を複数の分割領域に予め区分することで、特定の主要被写体からの反射光量を測定することを検討した。その結果、下記のような問題に気が付いた。
【０００５】
（１）『分割領域が被写体サイズよりも広い場合』
分割領域が被写体サイズよりも広い場合、主要な被写体の他に、予備発光の届かない背景箇所などが分割領域に含まれてしまう。
暗所での閃光撮影では、このような背景箇所は予備発光が届かないために暗く、その分だけ分割領域の受光量が少なくなる。この場合、カメラ側は、予備発光が被写体から戻る率が低いと判断し、本発光の目標発光量を過度に引き上げてしまう。その結果、主要被写体が白飛び（露出過多）を起こすといった問題が生じる。
【０００６】
（２）『分割領域を小さくした場合』
分割領域を小さく区分した場合、分割領域一つ一つの受光量が相対的に少なくなる。その結果、小さな分割領域一つ一つにおける光検出精度が低くなる。
特に、本発光のガイドナンバーを稼ぐために予備発光を微小光量に抑えたり、主要被写体が遠方にあったり、撮影レンズの開放Ｆ値が暗い場合、被写体から戻る予備発光は微弱になる。このような状況では、小さな分割領域一つ一つにおける光検出精度は、顕著に不足する。そのため、カメラ側では、精度不足のために本発光の目標発光量を正確に決定できず、目標発光量のバラツキが大きくなって主要被写体に白飛びや露光不足が生じやすくなる。
【０００７】
特に、このような問題（１）（２）は、画面内における主要被写体のサイズや位置が撮影のたびに変化して一定しないため、根本的に解決することが難しい。
そこで、本発明は、予備発光の測光に際して、主要被写体に適応した不定形な測光区分を決定することを目的とする。
【課題を解決するための手段】
【０００８】
《１》
本発明の閃光制御装置は、予備発光および本発光を実行する閃光部を制御する閃光制御装置であって、受光部、パターン選択部、本発光演算部、および本発光制御部を備える。
受光部は、被写界から戻る予備発光を分割受光する受光素子アレイを備え、これら受光素子ごとの光検出結果を得る。
パターン選択部は、受光素子ごとに得られた光検出結果を比較することにより、光検出結果が予め定められた範囲内に収まり、かつ隣接する受光素子の群からなる不定形領域をパターン選択する。
本発光演算部は、不定形領域について光検出結果の加重加算値を求めて、この加重加算値に基づいて本発光の目標発光量を決定する。
本発光制御部は、本発光演算部により決定された目標発光量に従って、閃光部の本発光を制御する。
【０００９】
《２》
なお好ましくは、パターン選択部は、光検出結果の内、受光素子ごとの輝度値について比較を行う。このような比較に基づいて、パターン選択部は、輝度値が予め定められた範囲内に収まり、かつ隣接する受光素子の群からなる不定形領域をパターン選択する。
【００１０】
《３》
また好ましくは、受光部は、被写界から戻る予備発光を複数波長域に分けて受光し、複数波長域ごとの受光量を検出する。この場合、パターン選択部は、複数波長域の受光量について比較を行う。このような比較に基づいて、パターン選択部は、分光反射率特性が予め定められた範囲内に収まり、かつ隣接する受光素子の群からなる不定形領域をパターン選択する。
【００１１】
《４》
なお好ましくは、受光部は、被写界から戻る予備発光を複数波長域に分けて受光し、複数波長域の受光量を出力する。この場合、パターン選択部は、複数波長域の受光量について比較を行う。このような比較に基づいて、パターン選択部は、色相が予め定められた範囲内に収まり、かつ隣接する受光素子の群からなる不定形領域をパターン選択する。
【００１２】
《５》
また好ましくは、受光素子アレイ上の位置を指定する位置指定手段を備える。この場合、パターン選択部は、（１）位置指定手段に指定された位置を含み、（２）光検出結果が予め定められた範囲内に収まり、（３）かつ隣接する受光素子の群からなるという三条件を少なくとも満足する不定形領域をパターン選択する。
【００１３】
《６》
なお好ましくは、位置指定手段は、受光素子アレイ上の複数位置を選択指定する。一方、パターン選択部は、この位置指定手段に指定された複数位置を含む不定形領域をそれぞれ選択する。パターン選択部は、これら不定形領域について論理和領域を求める。
本発光演算部は、この論理和領域について光検出結果の加重加算値を求め、この加重加算値に基づいて目標発光量を決定する。
【００１４】
《７》
本発明の電子カメラは、請求項１ないし請求項６のいずれか１項に記載の閃光制御装置と、本発光に照明された被写体を撮像する撮像部とを備える。
【発明の効果】
【００１５】
本発明の閃光制御装置は、受光素子アレイを用いて、被写界から戻る予備発光を分割受光する。この分割受光により、受光素子ごとの光検出結果が得られる。
次に、閃光制御装置は、これら受光素子ごとに得られた光検出結果を比較し、（１）光検出結果が予め定められた範囲内に収まり、（２）かつ隣接する受光素子の群からなるという二条件を少なくとも満足する不定形領域をパターン選択する。
【００１６】
このパターン選択では、予備発光を反映しない不要領域（例えば、予備発光の届かない暗い背景箇所など）を効果的に除外することが可能となる。その結果、不定形領域は、主要な被写体の一部または全部を、その形状や位置や大きさに合わせて柔軟にカバーする領域となる。
【００１７】
この不定形領域について、複数の光検出結果を加重加算することにより、受光素子一つ一つのノイズバラツキを抑制することが可能になる。その結果、分割区分が小さ過ぎるために、光検出精度が顕著に悪化してしまうといった問題を改善することができる。
【００１８】
また、この不定形領域は、主要被写体の占める割合が特に高くなるため、予備発光時に主要被写体を重点的に測定することが可能になる。そのため、主要被写体に的を合わせて、本発光の目標発光量を決定することが可能になる。
【発明を実施するための最良の形態】
【００１９】
以下、本発明の実施形態について説明する。
《第１実施形態》
図１は、カメラ１１の構成を示す図である。
図１において、カメラ１１には、電子閃光装置１２および撮影レンズ１３が装着される。この撮影レンズ１３の像空間には、ミラー１４、シャッタ１５、および撮像素子１６（銀塩カメラの場合はフィルム）が配置される。
【００２０】
一方、ミラー１４の反射方向には、拡散板１７、およびファインダ光学系１８（ペンタプリズムやペンタミラーなど）が配置される。このファインダ光学系１８の一部には、測光センサ１９が配置される。この測光センサ１９は、拡散板１７に形成される光像を受光素子アレイによって分割測光する。カメラ１１には、レリーズ釦やマルチセレクタなどの操作部２０が設けられる。
【００２１】
なお、シャッタ１５の幕面、または撮像素子１６の受光面を測光する位置に、第２の測光センサ２１を設けてもよい。
図２は、カメラ１１内の機能ブロックを示す図である。
図２に示すように、カメラ１１内には、カメラ内マイクロプロセッサユニット３０（以下『ＭＰＵ３０』という）が設けられる。
【００２２】
このＭＰＵ３０は、タイミングジェネレータ１６ａを用いて撮像素子１６に駆動パルスを与え、画像データを読み出す。また、ＭＰＵ３０は、ミラー駆動機構１４ａを用いて、ミラー１４の昇降動作を制御する。さらに、ＭＰＵ３０は、シャッタ駆動機構１５ａを用いて、シャッタ１５の開閉動作を制御する。
一方、測光センサ１９（または第２の測光センサ２１）で得た光検出結果は、Ａ／Ｄ変換された後、ＭＰＵ３０に入力される。ＭＰＵ３０は、この光検出結果と、操作部２０からの操作に応じて、電子閃光装置１２の調光制御を実施する。
さらに、ＭＰＵ３０は、ファインダ表示部３２を用いて、ファインダ内の情報表示を実施する。
【００２３】
［発明との対応関係］
以下、発明と第１実施形態との対応関係について説明する。なお、ここでの対応関係は、参考のために一解釈を例示するものであり、本発明を徒らに限定するものではない。
請求項記載の閃光部は、電子閃光装置１２に対応する。
請求項記載の受光部は、測光センサ１９や第２の測光センサ２１に対応する。
請求項記載のパターン選択部は、ＭＰＵ３０の『不定形領域をパターン選択する機能』に対応する。
請求項記載の本発光演算部は、ＭＰＵ３０の『目標発光量を決定する機能』に対応する。
請求項記載の本発光制御部は、ＭＰＵ３０の『電子閃光装置１２を制御する機能』に対応する。
請求項記載の位置指定手段は、操作部２０およびファインダ表示部３２に対応する。
請求項記載の撮像部は、撮像素子１６に対応する。
【００２４】
［第１実施形態の動作説明］
図３は、第１実施形態の動作を説明する流れ図である。
以下、図３に示すステップ番号に沿って、動作説明を行う。
【００２５】
ステップＳ１：  まず、ＭＰＵ３０は、測光センサ１９の受光面上の基準位置(x,y)を、受光素子アレイの中心（１０，５）に初期設定する。ＭＰＵ３０は、基準位置(x,y)を、ファインダ表示部３２を介して、カメラ１１のファインダ内に指標を用いて表示する。
【００２６】
ステップＳ２：  ユーザーは、ファインダ内の指標を見ながら、操作部２０（マルチセレクタ）を介して、基準位置(x,y)を移動（あるいは選択）する。ＭＰＵ３０は、この操作に従って、基準位置(x,y)を逐次変更する。
【００２７】
ステップＳ３：  ＭＰＵ３０は、ユーザーによるレリーズ操作を受け付けるまで、ステップＳ２の動作を受け付ける。
一方、ＭＰＵ３０が、ユーザーがレリーズ操作を行うと、ステップＳ４に動作を移行する。
【００２８】
ステップＳ４：  ＭＰＵ３０は、電子閃光装置１２に予備発光を指示する。電子閃光装置１２は、この指示に従って所定の微小光量による予備発光を実施する。この予備発光は、被写体を照明し、撮影レンズ１３およびミラー１４を介して、拡散板１７に被写体像を形成する。
測光センサ１９は、この拡散板１７の被写体像を、受光素子アレイにより測定し、受光素子ごとの輝度値ＲＭmon(i,j)を順次出力する。
ＭＰＵ３０は、これら輝度値ＲＭmom(i,j)から周辺光の影響を取り除くため、下式の補正処理を実施する。
ＲＭ(i,j)＝ＲＭmon(i,j)−ＲＭpre(i,j)・IntTime
ただし、式中のＲＭpre(i,j)は、受光素子アレイの位置(i,j)において予備発光直前に測定される『単位時間当たりの測光値』である。また、式中のIntTimeは、予備発光時の測光時間である。
ＭＰＵ３０は、このように補正を済ませた、受光素子ごとの輝度値ＲＭ(i,j)を記憶する。
【００２９】
ステップＳ５：  ＭＰＵ３０は、不定形領域（初回は基準位置の受光素子）に対して、上下左右などに隣接する受光素子（ただし、ステップＳ６で比較の既に済んだ受光素子を除く）を選択する。
【００３０】
ステップＳ６：  ＭＰＵ３０は、選択した受光素子の輝度値ＲＭ(i,j)と、基準位置の輝度値ＲＭ(x,y)とを、下記の比較条件（１）に基づいて判定する。
|log2 [RM(i,j)]-log2 [RM(x,y)]|＜Th1    ・・・（１）
ただし、閾値Ｔｈ１は、同一被写体と見なせる許容値以下で、かつ受光素子のノイズ出力以上に設定することが好ましい。
ＭＰＵ３０は、この比較条件を満足する隣接受光素子が新たに存在した場合、その隣接受光素子を不定形領域に追加する。
【００３１】
ステップＳ７：  隣接受光素子が不定形領域に新たに追加された場合、新たな隣接域について判定を行うため、ＭＰＵ３０はステップＳ５に動作を戻す。
例えば、図２に示す黒四角は、初回の基準位置を示す。一方、図２に示す斜線範囲は、ステップＳ５〜Ｓ７を繰り返すことによって、この基準位置から徐々に拡大した不定形領域を示す。
ところで、不定形領域に対して新たな追加がなかった場合、ＭＰＵ３０は、不定形領域のパターン選択が完了したと判断し、ステップＳ８に動作を移行する。
【００３２】
ステップＳ８：  ＭＰＵ３０は、パターン選択された不定形領域に含まれる受光素子群について、輝度値ＲＭ(i,j)の加重加算を実施して、代表輝度値ＲＭａｖｅを求める。
ここでの加重加算は、単純平均でもよい。なお好ましくは、基準位置(x,y)に近いほど加重比率を高めてもよい。
【００３３】
ステップＳ９：  ＭＰＵ３０は、代表輝度値ＲＭａｖｅに基づいて下記の計算を実施し、本発光の目標発光量ＫＧＮを算出する。
KGN=-log2(RMave)+KGNconst-Av0+Av    ・・・（２）
ただし、式中において、目標発光量ＫＧＮは、予備発光量に対して本発光が何倍に当たるかを示す値である。また、式中のＫＧＮconstは、撮像感度などカメラ１１側の設定などで決定される固定値である。さらに、Ａｖ０は、予備発光時の開放絞り値（Ａｐｅｘ値）である。また、Ａｖは、撮影時の絞り値（Ａｐｅｘ値）である。
ＭＰＵ３０は、電子閃光装置１２に対して、求めた目標発光量ＫＧＮを情報伝達する。
【００３４】
ステップＳ１０：  ＭＰＵ３０は、ミラー１４を跳ね上げてシャッタ１５を開いた後、電子閃光装置１２に本発光の開始を指示する。
電子閃光装置１２は本発光を開始し、目標発光量ＫＧＮ（ここでは予備発光のＫＧＮ倍の発光量）に達した時点で発光を停止する。
【００３５】
ステップＳ１１：  ＭＰＵ３０は、所定の露光期間が経過すると、シャッタ１５を閉じて、ミラー１４を下げる。その後、ＭＰＵ３０は、撮像素子１６から画像データを読み出す。なお本実施形態では、撮像素子１６の電子シャッタ動作を用いて、露光期間を決定してもよい。
【００３６】
［第１実施形態の効果など］
以上説明したように、第１実施形態では、（１）基準位置を含み、（２）基準位置の輝度値に対して、所定の許容範囲に輝度値が収まり、（３）かつ隣接する受光素子の群からなるという三条件を少なくとも満足する不定形領域をパターン選択する。
【００３７】
このパターン選択では、基準位置の輝度値とは大きく異なる領域（例えば、予備発光の届かない暗い背景箇所など）を効果的に除外することが可能となる。その結果、この不定形領域は、基準位置の主要被写体を適切にカバーする領域となる。
【００３８】
この不定形領域内について複数の輝度値を加重加算することにより、受光素子一つ一つのノイズバラツキを抑制し、予備発光に照らされた主要被写体の明るさを高精度に求めることができる。その結果、この主要被写体に的を合わせて、本発光の目標発光量を適切に決定することが可能になる。
【００３９】
また、第１実施形態では、ユーザー操作により基準位置を柔軟に変更することができる（ステップＳ２参照）。したがって、ユーザーは、ファインダ内の中心に主要被写体が位置しなくても、基準位置を主要被写体に柔軟に位置合わせすることが可能になる。その結果、その主要被写体をほぼカバーする不定形領域を適切にパターン選択することが可能になる。
次に、別の実施形態について説明する。
【００４０】
《第２実施形態》
第２実施形態は、分光反射率特性が所定の許容範囲に収まる不定形領域をパターン選択する実施形態である。
図４は、この第２実施形態の構成を示すブロック図である。
第２実施形態の構成上の特徴点は、測光センサ１９（または第２の測光センサ２１）の横５４個×縦１０個の受光素子アレイに、ＲＧＢストライプ配列のカラーフィルタアレイを設けている点である。このような受光素子アレイからは、横１８区画×縦１０区画のＲＧＢ色情報を得ることができる。
なお、その他の構成については、第１実施形態（図１，図２）と同一であるため、ここでの説明を省略する。
図５は、第２実施形態の動作を説明する流れ図である。以下、図５に示すステップ番号に沿って、動作説明を行う。
【００４１】
ステップＳ２１〜Ｓ２３：  第１実施形態（図３）のステップＳ１〜Ｓ３と同じ。
【００４２】
ステップＳ２４：  ＭＰＵ３０は、電子閃光装置１２に指示して予備発光を実行する。拡散板１７には、予備発光に照明された被写体の像が形成される。測光センサ１９は、拡散板１７の被写体像を光電変換し、横１８区画×縦１０区画に該当する色情報Ｒ(i,j)，Ｇ(i,j)，Ｂ(i,j)を順次出力する。ＭＰＵ３０は、これら色情報を取得して記憶する。
【００４３】
ステップＳ２５：  ＭＰＵ３０は、不定形領域（初回は基準位置）に対して、上下左右などに隣接する受光区画（ただし、ステップＳ６で比較の既に済んだ受光区画を除く）を選択する。
【００４４】
ステップＳ２６：  ＭＰＵ３０は、選択した受光区画の色情報と、基準位置の色情報とを、下記の比較条件（３）に基づいて比較判定する。
|log2 [R(i,j)]-log2 [R(x,y)]|＜ThR
|log2 [G(i,j)]-log2 [G(x,y)]|＜ThG
|log2 [B(i,j)]-log2 [B(x,y)]|＜ThB
・・・（３）
ただし、閾値ＴｈＲ，ＴｈＧ，ＴｈＢは、同一被写体の色情報と見なせる許容値以下で、かつ各色情報のノイズ幅以上に設定することが好ましい。
ＭＰＵ３０は、この比較条件（３）を全て満足する隣接受光区画が存在する場合、その隣接受光区画を不定形領域に追加する。
【００４５】
ステップＳ２７：  隣接受光区画が不定形領域に新たに追加された場合、この新たな隣接域について判定を行うため、ＭＰＵ３０はステップＳ２５に動作を戻す。
一方、不定形領域に新たな追加がない場合、ＭＰＵ３０は不定形領域のパターン選択が完了したと判断し、ステップＳ２８に動作を移行する。
【００４６】
ステップＳ２８：  ＭＰＵ３０は、パターン選択された不定形領域に含まれる受光区画について、色情報の加重加算を実施し、代表輝度値ＲＭａｖｅを求める。
ここでの加重加算は、Ｒ：Ｇ：Ｂ＝２：６：１などの加重比率で行えばよい。なお好ましくは、基準位置(x,y)に近いほど加重比率を高めてもよい。
【００４７】
ステップＳ２９〜Ｓ３１：  第１実施形態（図３）のステップＳ９〜Ｓ１１と同じ。
【００４８】
［第２実施形態の効果など］
以上説明したように、第２実施形態においても、第１実施形態と同様の効果を得ることができる。
特に、第２実施形態では、（１）基準位置を含み、（２）基準位置の色情報に対して、所定の許容範囲に色情報（分光反射率特性）が収まり、（３）かつ隣接する受光区画の群からなるという三条件を少なくとも満足する不定形領域をパターン選択する。
このような処理では、基準位置とほぼ同色と見なせる領域を不定形領域としてパターン選択する。その結果、人物被写体の肌色部分などをパターン選択することが可能となり、その肌色部分に合った本発光の目標発光量を適切に決定できる。
次に、別の実施形態について説明する。
【００４９】
《第３実施形態》
第３実施形態は、色相が所定の許容範囲に収まる不定形領域をパターン選択する実施形態である。なお、第３実施形態の構成については、第２実施形態と同一であるため、ここでの説明を省略する。
図６は、第３実施形態の動作を説明する流れ図である。以下、図６に示すステップ番号に沿って、動作説明を行う。
【００５０】
ステップＳ４１〜Ｓ４５：  第２実施形態（図５）のステップＳ２１〜Ｓ２５と同じ。
【００５１】
ステップＳ４６：  ＭＰＵ３０は、選択した受光区画の色相と、基準位置の色相とを、下記の比較条件（４）に基づいて比較する。
|(R(i,j)-G(i,j))/(R(i,j)+G(i,j))-(R(x,y)-G(x,y))/(R(x,y)+G(x,y))| <Th2
・・・（４）
ただし、閾値Ｔｈ２は、同一被写体の色相と見なせる許容値以下であり、かつノイズのバラツキ以上に設定することが好ましい。
ＭＰＵ３０は、この比較条件（４）を満足する隣接受光区画が存在する場合、その隣接受光区画を不定形領域に新たに追加する。
【００５２】
ステップＳ４７〜Ｓ５１：  第２実施形態（図５）のステップＳ２７〜Ｓ３１と同じ。
【００５３】
［第３実施形態の効果など］
以上説明したように、第３実施形態においても、第１実施形態と同様の効果を得ることができる。
特に、第３実施形態では、（１）基準位置を含み、（２）基準位置の色相に対して、所定の許容範囲に色相が収まり、（３）かつ隣接する受光区画の群からなるという三条件を少なくとも満足する不定形領域をパターン選択する。
このような処理では、ほぼ同じ色相と見なせる領域を不定形領域としてパターン選択することができる。例えば、人物の肌色部分を基準位置に選択すると、その肌色の明部から陰影部までを包括した『同一色相と見なせる領域』をパターン選択することが可能となる。その結果、肌色の明部から陰影部までの再現を考慮して、本発光の目標発光量を適切に決定することが可能になる。
次に、別の実施形態について説明する。
【００５４】
《第４実施形態》
第４実施形態は、基準位置の複数選択に対応した実施形態である。
なお、第４実施形態の構成については、第２実施形態と同一であるため、ここでの説明を省略する。
図７は、第４実施形態の動作を説明する流れ図である。以下、図７に示すステップ番号に沿って、動作説明を行う。
【００５５】
ステップＳ７１：  ユーザーは、カメラ１１のカスタム設定機能などを用いて、基準位置を複数選択するモードを予め設定しておく。
【００５６】
ステップＳ７２：  ファインダ内には、選択可能な複数の基準位置が予め表示される。なお、これら基準位置の指標は、焦点検出エリアの指標と兼用することが好ましい。ユーザーは、この表示を見ながら操作部２０（マルチセレクタ）を操作して、基準位置の選択フォーカスを移動する。ユーザーは、この状態で、操作部２０を操作（レリーズ半押しなど）することで、フォーカス選択中の基準位置を順次記憶する。
【００５７】
ステップＳ７３：  ＭＰＵ３０は、ユーザーによるレリーズ全押しを受け付けるまで、ステップＳ７２の動作を繰り返す。
一方、ＭＰＵ３０が、ユーザーによるレリーズ全押しを受け付けると、ステップＳ７４に動作を移行する。
【００５８】
ステップＳ７４：  ＭＰＵ３０は、電子閃光装置１２に指示して予備発光を実行する。拡散板１７には、予備発光に照明された被写体の像が形成される。測光センサ１９は、拡散板１７の被写体像を光電変換し、受光素子単位に光検出結果を順次出力する。
【００５９】
ステップＳ７５：  ＭＰＵ３０は、複数記憶された基準位置の個々について、不定形領域のパターン選択を実行する。なお、ここでは、上述した第１〜第３実施形態のパターン選択のいずれかを実行すればよい。図８は、このように複数の基準位置について求めた不定形領域を示す図である。
【００６０】
ステップＳ７６：  ＭＰＵ３０は、求めた複数の不定形領域について論理和をとり、論理和領域を求める。
【００６１】
ステップＳ７７：  ＭＰＵ３０は、論理和領域に含まれる受光素子群について、光検出結果の加重加算を実施して、代表輝度値ＲＭａｖｅを求める。
【００６２】
ステップＳ７８〜Ｓ８０：  第１実施形態（図３）のステップＳ９〜Ｓ１１と同じ。
【００６３】
［第４実施形態の効果など］
以上説明したように、第４実施形態においても、第１実施形態と同様の効果を得ることができる。
特に、第４実施形態では、ユーザーが、基準位置を複数選択することで、論理和領域のカバー範囲を自由自在に調整することが可能になる。
【００６４】
また、複数人の記念写真のように、ファインダ内で主要被写体が離れて位置する場合であっても、孤立した主要被写体ごとに基準位置を複数設定することで、これらの被写体をカバーした論理和領域をパターン選択することができる。
その結果、複雑な配置や形状の主要被写体に柔軟に対応して、論理和領域を適切に決定することが可能になる。したがって、これら複雑な主要被写体に的を合わせて、本発光の目標発光量を適切に決定することが可能になる。
【００６５】
《実施形態の補足事項》
なお、上述した実施形態では、測光センサ１９を使用するケースについて説明した。しかしながら、本発明はこれに限定されるものではない。例えば、測光センサ１９の代わりに、第２の測光センサ２１を使用してもよい。この場合、ミラー１４を跳ね上げた後に予備発光を実施し、シャッタ１５の幕面などを第２の測光センサ２１で分割測光すればよい。
【００６６】
また、上述した実施形態では、電子カメラの場合について説明した。しかしながら、本発明はこれに限定されるものではない。撮像素子１６をフィルムその他の感光部材に代えることにより、本発明を銀塩カメラに適用することも可能である。
【００６７】
なお、上述した第２の実施形態では、ＲＧＢ成分に基づいて分光反射率特性を判定している。しかしながら、本発明はこれに限定されるものではない。一般的には、複数の波長域の光検出結果から分光反射率特性を判定すればよい。
【００６８】
また、上述した第３の実施形態では、ＲＧ成分に基づいて色相を判定している。しかしながら、本発明はこれに限定されるものではない。一般的には、複数の波長域の光検出結果から色相を判定すればよい。
【００６９】
さらに、上述した実施形態では、外付けの電子閃光装置１２をアクセサリシューに接続するケースについて説明した。しかし、本発明はこれに限定されるものではない。内蔵式の電子閃光装置に本発明を適用するも可能である。また、外付けの電子閃光装置１２をカメラ１１から離し、シンクロコードや光通信などを介してシンクロ発光を行うことも可能である。
【００７０】
なお、上述した実施形態において、下記の手順でＦＶロックを実施してもよい。
［１］まず、ユーザーは、主要被写体をファインダ内の所定の基準位置（例えば中央）に位置させて、ＦＶロック釦を押す。
［２］ＦＶロック釦の押圧操作により、ＭＰＵ３０は予備発光を実施し、基準位置を含む不定形領域をパターン選択する。ＭＰＵ３０は、この不定形領域の代表輝度値ＲＭａｖｅを算出して記憶する。
［３］ユーザーは、［１］〜［２］のＦＶロック動作を必要な回数だけ繰り返すことができる。その結果、複数回の予備発光を実施して、複数の不定形領域をパターン選択することができる。
［４］ユーザーは、上述したＦＶロック動作を完了すると、カメラ１１の構図を調整してレリーズ釦を全押しする。
［５］ＭＰＵ３０は、代表輝度値ＲＭａｖｅ（ＦＶロックが複数回実施された場合は、代表輝度値ＲＭａｖｅの平均値）に基づいて、本発光の目標発光量を算出する。ＭＰＵ３０は、この目標発光量を、電子閃光装置１２に情報伝達する。
［６］ＭＰＵ３０は、撮像素子１６の撮像動作にタイミングを合わせて、本発光開始を電子閃光装置１２に指示する。電子閃光装置１２は、本発光を開始し、目標発光量に達した時点で本発光を停止する。
［７］ＭＰＵ３０は、撮像素子１６から画像データを読み出す。
【００７１】
このような動作では、ユーザーは、ＦＶロックの操作によって、不定形領域のパターン選択を簡単に実行できる。
【産業上の利用可能性】
【００７２】
以上説明したように、本発明は、閃光制御装置などに利用可能な技術である。
【図面の簡単な説明】
【００７３】
【図１】カメラ１１の構成を示す図である。
【図２】カメラ１１内の機能ブロックを示す図である。
【図３】第１実施形態の動作を説明する流れ図である。
【図４】第２実施形態の構成を示すブロック図である。
【図５】第２実施形態の動作を説明する流れ図である。
【図６】第３実施形態の動作を説明する流れ図である。
【図７】第４実施形態の動作を説明する流れ図である。
【図８】複数の基準位置について求めた不定形領域を示す図である。
【符号の説明】
【００７４】
１１  カメラ
１２  電子閃光装置
１３  撮影レンズ
１４  ミラー
１４ａ  ミラー駆動機構
１５  シャッタ
１５ａ  シャッタ駆動機構
１６  撮像素子
１６ａ  タイミングジェネレータ
１７  拡散板
１８  ファインダ光学系
１９  測光センサ
１９ａ  タイミングジェネレータ
２０  操作部
２１  第２の測光センサ
３０  ＭＰＵ
３２  ファインダ表示部
【図１】
2006018030.tif 000003
【図２】
2006018030.tif 000004
【図３】
2006018030.tif 000005
【図４】
2006018030.tif 000006
【図５】
2006018030.tif 000007
【図６】
2006018030.tif 000008
【図７】
2006018030.tif 000009
【図８】
2006018030.tif 000010